(57)【要約】【課題】屈折部を形成することなく、滑らかにまつ毛を湾曲させることができるアイラッシュカーラーを提供する。【解決手段】  まつ毛曲げプレート７と、まつ毛曲げプレートと咬合する受け部材１４と、を有するアイラッシュカーラー１であって、まつ毛曲げプレート７の下端部に設けられた湾曲部１０と、まつ毛曲げプレート７または受け部材１４の少なくとも一方に設けられ、まつ毛曲げプレート７と受け部材１４が咬合するときにまつ毛曲げプレート７の下端部を外方にガイドするガイド１９と、を有するように構成した。【選択図】図１
2019180438.tif 000002
【特許請求の範囲】
【請求項１】
まつ毛曲げプレートと、前記まつ毛曲げプレートと咬合する受け部材とを有するアイラッシュカーラーであって、
前記まつ毛曲げプレートの下端部に設けられた湾曲部と、
前記まつ毛曲げプレートまたは前記受け部材の少なくとも一方に設けられ、前記まつ毛曲げプレートと前記受け部材が咬合するときに前記まつ毛曲げプレートの下端部を外方にガイドするガイドと、を有することを特徴とするアイラッシュカーラー。
【請求項２】
請求項１に記載のアイラッシュカーラーであって、
前記湾曲部は、前記まつ毛曲げプレートの長さ方向と直交する断面の外周が、概略渦巻状に連結された複数の直線を弦として、外方に弧を設けて滑らかに接続した曲線になっていることを特徴とするアイラッシュカーラー。
【請求項３】
請求項１または２に記載のアイラッシュカーラーであって、
前記まつ毛曲げプレートの下端部に内側に傾斜した傾斜面を設け、該傾斜面と前記湾曲部の間に凹部を形成していることを特徴とする請求項１または２に記載のアイラッシュカーラー。
【請求項４】
請求項１〜３のいずれか一項に記載のアイラッシュカーラーであって、
前記ガイドは、前記受け部材の内壁の上端部に設けられ、前記まつ毛曲げプレートの下端部と摺接する傾斜面を有することを特徴とするアイラッシュカーラー。
【請求項５】
請求項１〜３のいずれか一項に記載のアイラッシュカーラーであって、
前記ガイドは、前記受け部材の内壁の上端部に設けられた第一部材と、前記まつ毛曲げプレートに設けられ、前記第一部材と摺接して、前記まつ毛曲げプレートの下端部を外方にガイドする第二部材と、を有していることを特徴とするアイラッシュカーラー。
【請求項６】
請求項１〜５のいずれか一項に記載のアイラッシュカーラーであって、
前記ガイドは、まつ毛を分散整列させるまつ毛ガイドを構成していることを特徴とするアイラッシュカーラー。
【請求項７】
請求項１〜６のいずれか一項に記載のアイラッシュカーラーであって、
前記受け部材は、下部外方に湾曲コーナー部を有していることを特徴とするアイラッシュカーラー。
【請求項８】
請求項１〜７のいずれか一項に記載のアイラッシュカーラーであって、
前記受け部材は、前記まつ毛曲げプレートの下端部の押圧力の作用線とずれた位置に、線状突起を有していることを特徴とするアイラッシュカーラー。
【発明の詳細な説明】
【技術分野】
【０００１】
本発明は、アイラッシュカーラーに関する。
【背景技術】
【０００２】
一般に、まつ毛を挟んで上向きに反らせる化粧具として、アイラッシュカーラーが広く使用されている。
【０００３】
人は、人の顔のうち、まつ毛の先端までを目として認識する習性があると言われている。まつ毛がカールして目の中心から外側に広がっていれば、人の顔を正面から見たときに、目を大きく感じる効果があると言われている。また、側面から見たときに、まつ毛が上向きに湾曲していると、目が美しく見えると言われている。このため、多くの女性が化粧具の一つとして、アイラッシュカーラーを用いている。
【０００４】
アイラッシュカーラーは、金属の板とゴム（シリコン）等の弾性体で上まつ毛の根元をはさみ、まつ毛を上に反らせるようにする構造のものが多い。金属板が弾性体の内部に食い込むことによって、挟まれたまつ毛に反った形状の癖がつくようになっている。
【０００５】
特許文献１には、円弧状に湾曲した帯状の金属板（まつげ挟持プレート）に、滑り防止用の突部を有する滑り抑制部材ゴムを設けることで、瞼を十分に押し上げ、まつ毛をより前方に押し出すことができるアイラッシュカーラーが開示されている。
【０００６】
また、特許文献２には、まつ毛を乗せる弾性体の内部に切れ目のある天井部で覆われている空洞部を設け、プレートでまつ毛を挟んで圧力を加えると、まつ毛がプレートと弾性体の空洞を覆う切れ目のある天井部に挟まれた状態で空洞内部に深く入りこみ、まつ毛が強く曲げられる事を特徴とするアイラッシュカーラーが開示されている。
【先行技術文献】
【特許文献】
【０００７】
【特許文献１】特開２００７−３００９７１号公報
【特許文献２】実用新案登録第３１９０８３９号
【発明の概要】
【発明が解決しようとする課題】
【０００８】
しかしながら、上記特許文献１，２を含めて、従来のアイラッシュカーラーは、まつ毛により癖をつけるため、まつ毛を曲げる金属板が薄い形状からなっている。薄い形状の金属板が、まつ毛を挟んで弾性体の内部に押し込むため、まつ毛に折れたような屈折部が付いていた。横から見たときに、まつ毛が屈折した形に曲げられており、不自然であった。また、まつ毛の一部に力が集中するため、まつ毛に大きな負荷がかかり、切れやすくなる懸念があった。
【０００９】
また、まつ毛により癖をつけるために、弾性体側に、例えば特許文献２のように、溝状の凹部を設けることが考えられる。しかし、まつ毛が溝状の凹部に深く入りこみ過ぎるため、さらにまつ毛に負荷がかかる懸念があった。また、溝状の凹部は、アイメークに使用したアイシャドウやマスカラの粉や残骸が入りこむため、衛生的に問題があった。
【００１０】
本発明は、上記の問題を鑑みてなされたものであり、屈折部を形成することなく、滑らかにまつ毛を湾曲させることができるアイラッシュカーラーを提供することにある。
【課題を解決するための手段】
【００１１】
上述した課題を解決するために、本発明のアイラッシュカーラーは、
まつ毛曲げプレートと、前記まつ毛曲げプレートと咬合する受け部材とを有するアイラッシュカーラーであって、前記まつ毛曲げプレートの下端部に設けられた湾曲部と、前記まつ毛曲げプレートまたは前記受け部材の少なくとも一方に設けられ、前記まつ毛曲げプレートと前記受け部材が咬合するときに前記まつ毛曲げプレートの下端部を外方にガイドするガイドと、を有することを特徴とする。
【００１２】
前記湾曲部は、前記まつ毛曲げプレートの長さ方向と直交する断面の外周が、概略渦巻状に連結された複数の直線を弦として、外方に弧を設けて滑らかに接続した曲線になっていてもよい。
【００１３】
前記ガイドは、前記受け部材の内壁の上端部に設けられ、前記まつ毛曲げプレートの下端部と摺接する傾斜面を有していてもよい。
【００１４】
前記ガイドは、前記受け部材の内壁の上端部に設けられた第一部材と、前記まつ毛曲げプレートに設けられ、前記第一部材と摺接して、前記まつ毛曲げプレートの下端部を外方にガイドする第二部材とを有していてもよい。
【００１５】
前記ガイドは、まつ毛を分散整列させるまつ毛ガイドを構成していてもよい。
【００１６】
前記受け部材は、下部外方に湾曲コーナー部を有していてもよい。
【００１７】
前記受け部材は、前記まつ毛曲げプレートの下端部の押圧力の作用線とずれた位置に、線状突起を有していてもよい。
【発明の効果】
【００１８】
本発明によれば、まつ毛に屈折部を形成することなく、滑らかにまつ毛を湾曲させることができ、衛生的でまつ毛に過度な負担がかからないアイラッシュカーラーを提供することができる。
【図面の簡単な説明】
【００１９】
【図１】本発明の一実施形態によるアイラッシュカーラーの斜視図である。
【図２】本発明の一実施形態によるアイラッシュカーラーの一部を正面視した斜視図である。
【図３】本発明の一実施形態によるアイラッシュカーラーの一部断面図である。
【図４】本発明の一実施形態によるアイラッシュカーラーの一部断面図である。
【図５】本発明の一実施形態によるまつ毛曲げプレートの下端部の湾曲部の横断面図である。
【図６】本発明の一実施形態によるアイラッシュカーラーの一部断面図である。
【図７】本発明の一実施形態によるアイラッシュカーラーの一部を拡大して示した斜視図である。
【図８】本発明の一実施形態によるアイラッシュカーラーの一部断面図である。
【図９】本発明の一実施形態によるアイラッシュカーラーの一部断面図である。
【図１０】本発明の一実施形態によるアイラッシュカーラーの一部断面図である。
【発明を実施するための形態】
【００２０】
以下に本発明の実施形態を、図面を用いて説明する。
【００２１】
図１は、本発明の一実施形態によるアイラッシュカーラーの全体を示した斜視図である。
【００２２】
図１に示すように、本実施形態のアイラッシュカーラー１は、連結軸２によって連結された一対のハンドル３，４（支持側ハンドル３，操作側ハンドル４）を有している。ハンドル３，４は、鋏のハンドル部分ように互いに交差し、回動可能になっている。支持側ハンドル３は、使用時には所定位置に保持し、操作側ハンドル４を回動させてまつ毛を挟むようにする。
【００２３】
支持側ハンドル３の連結軸２の上部は二股に別れ、それぞれフレーム支柱５，６になっている。フレーム支柱５，６は、その先端部でまつ毛曲げプレート７の両端部を支持している。まつ毛曲げプレート７は、帯状の金属板からなり、瞼に沿うように、湾曲して曲面に形成されている。なお、本明細書等においては、アイラッシュカーラー１の使用状態で使用者の顔に近い方を「内」と言い、使用者の顔から遠い方を「外」と言うものとする。また、アイラッシュカーラー１の使用状態で低い方を「下」と言い、高い方を「上」と言うものとする。
【００２４】
フレーム支柱５，６は上端部で、係合部８，９によってまつ毛曲げプレート７を支持している。係合部８，９は、まつ毛曲げプレート７の上下動を制限するが、下端部がわずかに外側に移動できるように、わずかな遊びを有している。
【００２５】
まつ毛曲げプレート７の下縁部は、まつ毛を挟んで曲げる作用部分になっている。本実施形態では、まつ毛曲げプレート７の下縁部に湾曲部１０が設けられている。湾曲部１０は、まつ毛曲げプレート７の長さ方向と直交する断面で見た場合に、下方及び外方に凸な湾曲面部分を有している。
【００２６】
操作側ハンドル４の連結軸２の上部は、回転軸１１を介して、押圧子１２，１３に回動可能に連結している。押圧子１２，１３は、それぞれ棒状部材からなり、その上端部は受け部材１４の下面に接続している。すなわち、操作側ハンドル４の回動によって押圧子１２，１３が上下動し、受け部材１４を押すことができるようになっている。
【００２７】
受け部材１４は、平面視でまつ毛曲げプレート７の下縁部と整合する湾曲形状を有している。受け部材１４は、内部に弾性体１５を保持することができる凹部１６を有している。まつ毛曲げプレート７は、受け部材１４との咬合時に、下縁部が弾性体１５を押圧しながら受け部材１４の凹部１６の内部に入り込むようになっている。
【００２８】
受け部材１４の長さ方向の両端部は、フレーム支柱５，６とスライド可能なスライド部１７，１８になっている。スライド部１７，１８は、本実施形態では、フレーム支柱５，６に遊嵌するリングになっているが、スライド可能であれば、任意の公知の構造とすることができる。スライド部１７，１８を有することにより、操作側ハンドル４を閉じることにより、操作側ハンドル４と回転軸１１と押圧子１２，１３を介して、受け部材１４を押し上げることができる。ハンドル３，４を強く握ることにより、まつ毛曲げプレート７の下縁部が受け部材１４に収容保持された弾性体１５を強く圧迫することができる。
【００２９】
本実施形態のアイラッシュカーラー１は、受け部材１４の内壁の上端部に、複数のガイド１９を有している。ガイド１９について、図２の説明でさらに明らかになる。
【００３０】
図２は、アイラッシュカーラー１のまつ毛曲げプレート７と受け部材１４を内側から見た正面図を示している。
【００３１】
図２に示すように、本実施形態のアイラッシュカーラー１の上部分は、左右一対のフレーム支柱５，６によって支持されたまつ毛曲げプレート７と、スライド部１７，１８によって上下にスライド可能に取り付けられた受け部材１４とを有している。
【００３２】
まつ毛曲げプレート７と受け部材１４は、瞼に沿うよう湾曲している。
【００３３】
受け部材１４は、内壁２０と外壁２１と底壁（不図示）を有し、内部に凹部１６を有している。凹部１６の内部に弾性体１５が収容されている。まつ毛曲げプレート７は、好ましくは断面Ｕ字形の金具を枠として、その内側に弾性体１５を収容するようにする。弾性体１５としては、たとえば、１０〜３０度の硬度を有するエラストマー、シリコン、ゴム等が適合する。
【００３４】
なお、ここで硬度とは、測定機が簡便であることから一般に広く普及している「デュロメーター硬さ」のことである。「デュロメーター硬さ」は、測定する対象の表面に鋭利ではない針（押針、インデンタ）を押し込んで、その変形量を測定し数値化する方法であり、針を押し込む力としてスプリングを用いている。中硬さ用にはタイプA、低硬さ用にタイプEが規格化されている。
【００３５】
アイラッシュカーラー１を使用する際には、まず、まつ毛曲げプレート７を瞼に当て、まつ毛曲げプレート７と受け部材１４の間にある隙間（咬合部）に上まつ毛を位置させる。この状態でハンドル３，４を閉じることにより、押圧子１２，１３が上方向に移動する。それに伴って、受け部材１４が上方向にスライドし、まつ毛曲げプレート７の下縁部と受け部材１４に収容保持された弾性体１５の間でまつ毛を挟む。さらにハンドル３，４を強く握ることにより、まつ毛曲げプレート７の下縁部がまつ毛とともに受け部材１４の凹部１６に入り込み、まつ毛を強く圧迫する。
【００３６】
受け部材１４の内壁の上端部には、複数のガイド１９が設けられている。これらのガイド１９は、まつ毛を咬合部に挿入する際に、まつ毛を扇状に分散させ、向きを整列させ、かつ、各ガイド１９の間に一定の本数のまつ毛が入るように、まつ毛をガイドするまつ毛ガイドになっている。ガイド１９のまつ毛ガイド機能により、まつ毛を挿入しやすくなり、まつ毛の向きが揃い、まつ毛の重なりを防止する効果を有する。
【００３７】
なお、各ガイド１９は、内側（まつ毛を入れる側）または上端を幅狭く形成し、まつ毛を分けやすくするようになっていても良い。
【００３８】
図３は、アイラッシュカーラー１の一部の断面を示している。
【００３９】
図３において、符号７は、まつ毛曲げプレートを示し、矢印Ｆは受け部材１４に対してまつ毛曲げプレート７が相対的に動く方向（咬合状態に向かう時の方向）を示している。まつ毛曲げプレート７の下部先端には、湾曲部１０が設けられている。
【００４０】
受け部材１４は、内壁２０と外壁２１と底壁２２を有し、上部は開放し、内部に凹部１６を形成している。凹部１６の内部は弾性体１５を収容する空間になっている。外壁２１は内壁２０に比して高くなっているのが好ましい。また、弾性体１５の上面は、外側が相対的に高くなるように全体としてなだらかに傾斜し、中央部分は凹になっているのが好ましい。これは、まつ毛が自然に上方にカーブしていることと、外壁２１からの圧力でまつ毛を湾曲させるときに、湾曲部を長くするためである。
【００４１】
ガイド１９は、内壁２０の上端部に固定され、外方に傾斜している傾斜面２３を有している。ガイド１９の内側と頂部は、まつ毛２４を分散させ易いように、まつ毛の進入部分が幅広く形成されているのが好ましい。
【００４２】
ガイド１９は、まつ毛曲げプレート７がＦ方向に相対的に下りてきたときに、まつ毛曲げプレート７の下端部が傾斜面２３と当接して摺動する位置に設けられている。
【００４３】
使用に際しては、まつ毛２４をガイド１９の間に挿入し、曲げようとする部分がまつ毛曲げプレート７の下に位置するまで進入させる。通常は、まつ毛２４を根元の部分まで挿入する。ガイド１９のまつ毛ガイドとしての作用により、まつ毛２４は扇状に広がり、各ガイド１９の間の隙間に所定の本数ずつのまつ毛２４が挿入される。しかる後に、図示しないハンドル３，４を操作し、まつ毛曲げプレート７をＦ方向に移動させ、まつ毛２４を挟むようにする。
【００４４】
図４は、まつ毛２４が曲げられるときの状態を説明的に示している。
【００４５】
まつ毛曲げプレート７をＦ方向に移動させると、まつ毛曲げプレート７の下端部が、ガイド１９の傾斜面２３に当接し、傾斜面２３に沿って下方（Ｆ方向）及び外方の合成された方向（Ｓ方向）に摺動する。まつ毛曲げプレート７の移動を続けると、まつ毛曲げプレート７の下端部は、受け部材１４の凹部１６に一部入り込んで咬合状態になり、まつ毛曲げプレート７の下端部と弾性体１５でまつ毛２４を挟んで、下方と外方（Ｆ’方向）にまつ毛２４を押す。このとき、図示しない係合部８，９はまつ毛曲げプレート７の下端部の外方への移動を許容する。
【００４６】
弾性体１５は、まつ毛曲げプレート７の下端部に圧迫され、体積の一部が湾曲部１０に沿って膨出し、外壁２１の反作用としてまつ毛２４を湾曲部１０の曲面に強く押しつける。本発明によれば、図４に示すように、まつ毛２４は折れ曲がることなく、従来のアイラッシュカーラーに比して長い距離の湾曲部分長さＡＬに渡ってまつ毛２４に圧力をかけられ、長い距離の湾曲部分を形成することができる。長い湾曲部分長さＡＬに渡って圧力をかけられるのは、底壁２２と外壁２１の双方が弾性体１５を介してまつ毛２４に圧力をかけるからであると考えられる。なお、湾曲部分長さとは、アイラッシュカーラーによって曲げられる湾曲部分の弧長をいうものとする。従来のアイラッシュカーラーでは、まつ毛曲げプレートの下縁部のコーナーの円弧部のみであったのに対して、本発明によれば湾曲部１０の外周に渡って長い湾曲をつけることができ、まつ毛２４へのダメージを軽減し、自然な湾曲を得ることができる。
【００４７】
また、弾性体１５が底壁２２と外壁２１の双方から反作用として押されるため、まつ毛２４の湾曲される部分の中心角θも、従来のアイラッシュカーラーに比して大きくすることができる。なお、湾曲部分の中心角θとは、湾曲部を円弧とした場合の中心角をいうものとする。従来のアイラッシュカーラーでは、まつ毛曲げプレートの下縁部のコーナーでまつ毛を曲げるため概略９０度であったのに対して、本発明によれば９０度〜２５０度程度の湾曲部中心角を得ることができる。
【００４８】
ガイド１９は、内壁２０の上端部に固定されている。ガイド１９の傾斜面２３は、直線的な傾斜面に限られず、下方に行くほど外方への移動が大きくなるようにしても良い。このようにすることにより、根元部分でしっかりまつ毛２４を挟んでから外方に押して湾曲をつけることができる。
【００４９】
図５は、まつ毛曲げプレート７の下端部の湾曲部１０の横断面形状の例を示している。
【００５０】
図５（ａ），（ｂ），（ｃ）に共通して示すように、湾曲部１０の曲面は、通常のまつ毛曲げプレートの下部の曲面に比して長い湾曲部分長さと大きい湾曲部中心角θを有している。また、本発明の湾曲部１０は、膨出した部分を有し、該膨出部分はアイラッシュカーラー１の下方及び外方に偏心している。
【００５１】
本発明の湾曲部の曲面は、例えば図５（ａ）に示すように、概略渦巻状に連結された直線Ｌ１，Ｌ２，Ｌ３，Ｌ４，Ｌ５を弦として、それらの外方に弧を設けて、滑らかに接続した曲線で規定される曲面を形成している。
【００５２】
図５（ａ）の湾曲部１０は、まつ毛の根元に当たる直線Ｌ２，Ｌ３に比較的大きな曲率の弧を設け、まつ毛の中央部に当たる直線Ｌ４に比較的小さな曲率の弧を設け、まつ毛の先端部に当たる直線Ｌ５に再び大きな曲率の弧を設けている。
【００５３】
これにより、まつ毛の根元で大きく湾曲し、まつ毛の中央部では長さを稼ぐことができ、まつ毛の先端部で再び大きく湾曲する形状を得られる。
【００５４】
図５（ｂ）の湾曲部１０は、まつ毛の根元に当たる部分では比較的緩やかな湾曲を有し、先端に行くほど大きな曲率の曲面になっている。この湾曲部１０によれば、まつ毛の根元部分では自然な湾曲を得られ、まつ毛の先端側に行くほど湾曲が大きい形状を得られる。
【００５５】
図５（ｃ）の湾曲部１０は、まつ毛の根元に当たる部分でさらに大きな湾曲を得るために、最初に内向きに傾斜する直線Ｌ２を追加し、直線Ｌ２，Ｌ３，Ｌ４に大きな曲率の曲面を設け、まつ毛の中央部では直線Ｌ５に緩やかな曲面を設け、まつ毛の先端部で直線Ｌ６，Ｌ７に再び大きな曲面を設けている。
【００５６】
また、図５（ａ），（ｃ）の例では、湾曲面の先端部でまつ毛曲げプレート７の厚み内部に切り込む凹部２９を設けている。凹部２９は、少ない空間内で大きな曲率と長い湾曲部分長さを得るために有効である。
【００５７】
なお、凹部２９は、まつ毛曲げプレート７の厚み内部に切り込むようにするのに限られず、まつ毛曲げプレート７の下端部を内側に傾斜させ、この傾斜面の下側と湾曲部１０の間に凹部２９を形成しても良い。
【００５８】
図６は、本発明の他の実施形態のアイラッシュカーラー１ａの一部を示している。
【００５９】
このアイラッシュカーラー１ａは、アイラッシュカーラー１と概略同様の構造を有しているが、ガイド１９ａが、協働する第一部材２５と第二部材２６とを有している。
【００６０】
第一部材２５は、受け部材１４ａの内壁２０ａの上端部に設けられ、傾斜面を有していない。この第一部材２５は、好ましくはまつ毛２４を分散整列させるまつ毛ガイドとしての機能を有している。一方、第二部材２６は、まつ毛曲げプレート７ａに設けられ、第一部材２５と摺接する傾斜面２７を有している。傾斜面２７は、第一部材２５と摺接し、まつ毛曲げプレート７ａの下端部を外方にガイドすることができる。
【００６１】
まつ毛曲げプレート７ａの下端部は、受け部材１４ａの凹部１６ａに一部入り込んで咬合状態になり、まつ毛曲げプレート７ａの下端部と弾性体１５ａでまつ毛２４を挟んで、下方と外方（Ｆ’方向）にまつ毛２４を押す。また、弾性体１５ａが底壁２２ａと外壁２１ａの双方から反作用として押される。
【００６２】
この実施形態のアイラッシュカーラー１ａによれば、まつ毛曲げプレート７ａの下端が、よりまつ毛の根元に近い部分でまつ毛を挟むことができ、まつ毛の根元から湾曲させる場合に有効である。
【００６３】
この実施形態のアイラッシュカーラー１ａによっても、まつ毛２４が折れず、長い湾曲部分長さＡＬ（湾曲部１０ａの外周）を形成することができ、また、大きな湾曲部分の中心角θを形成できる。
【００６４】
図７は、本発明の他の実施形態によるアイラッシュカーラー１ｂの一部を拡大して示している。
【００６５】
本実施形態のアイラッシュカーラー１ｂは、アイラッシュカーラー１と概略同様の構造を有している。受け部材１４ｂは、内壁２０ｂと外壁２１ｂと底壁２２ｂを有し、内部に凹部１６ｂを有し、その内部に弾性体１５ｂを収容している。しかし、アイラッシュカーラー１ｂの場合、受け部材１４ｂの下部外方に湾曲コーナー部２８を有している。すなわち、本実施形態では、受け部材１４ｂは、内壁２０ｂと外壁２１ｂと底壁２２ｂとを有し、外壁２１ｂと底壁２２ｂが接続する部分が、湾曲コーナー部２８になっている。湾曲コーナー部２８の内面は、まつ毛曲げプレート７ｂのその外周面とほぼ平行な曲面になっている。このため、弾性体１５ｂは内壁２０ｂと外壁２１ｂと底壁２２ｂに関してほぼ同じ厚さになっている。
【００６６】
本実施形態によれば、四角形状のコーナー部に比べて、湾曲コーナー部２８に当接する弾性体１５ｂの厚さが薄いため、弾性体１５ｂが逃げることなく、壁体から強い反作用の力を得られる。壁体からの反発力により、湾曲部１０ｂに対して強い圧力を及ぼすことができる。湾曲コーナー部２８に対応する部分に、湾曲部１０ｂの曲率を大きくすることにより、湾曲をつけ易いアイラッシュカーラー１ｂを得ることができる。
【００６７】
ガイド１９ｂによって、まつ毛を挿入しやすくなり、まつ毛の向きが揃い、まつ毛の重なりを防止する効果を有することは既述の通りである。
【００６８】
図８は、本発明の他の実施形態によるアイラッシュカーラー１ｃの一部を拡大して示している。
【００６９】
本実施形態のアイラッシュカーラー１ｃは、概略図７のアイラッシュカーラー１ｂと同様の構造であり、ガイド１９ｃが、内壁２０ｃの上端部に固定され、外方に傾斜している傾斜面２３ｃを有している。しかし、図８に示すように、外壁２１ｃと底壁２２ｃのコーナー部が湾曲コーナー部２８ｃになっている他、底壁２２ｃと内壁２０ｃのコーナー部が湾曲コーナー部３０ｃになっている。
【００７０】
本実施形態によれば、まつ毛曲げプレート７ｃの下端部がまつ毛２４を挟んで受け部材１４ｃの凹部１６ｃに押し込んだ時に、湾曲部１０ｃの表面が弾性体１５ｃからほぼ均等な力を受け、効率よくまつ毛２４の全体を湾曲させることができる。
【００７１】
なお、外壁２１ｃは、図８においてはほぼ垂直に形成されているが、わずかに内側に傾斜させることができる。外壁２１ｃがわずかに内側に傾斜することにより、凹部１６ｃは開口部が狭くなったＵ字形の断面形状になる。この凹部１６ｃにアイラッシュカーラー１ｃの下端部が押し込まれた時は、弾性体１５ｃの膨出部分の逃げ場が少ないため、より長い湾曲部分長さに渡ってまつ毛２４を押すことができる。
【００７２】
図９は本発明の他の実施形態のアイラッシュカーラー１ａの一部を示している。
【００７３】
本実施形態のアイラッシュカーラー１ｄの受け部材１４ｄは、内壁２０ｄと外壁２１ｄと底壁２２ｄとを有し、内部に凹部１６ｄが形成されている。
【００７４】
本実施形態では、底壁２２ｄに、線状突起３１，３２が受け部材１４ｄの長さ方向に略平行に設けられている。線状突起３１，３２の内外方向の位置は、まつ毛曲げプレート７ｄの下端部（湾曲部１０ｄ）の押圧力の作用線Ｆ’とずれた位置に設けられている。
【００７５】
より詳細には以下の通りである。まつ毛曲げプレート７ｄが、受け部材１４ｄに対して相対的に降りると、ガイド１９ｄの下端部がガイド１９ｄの傾斜面２３ｄに当接し、図９に示すように方向Ｆ’にまつ毛２４を押す。弾性体１５ｄは、柔らかい性質を有しているので、線状突起３１，３２がない場合、弾性体１５ｄは方向Ｆ’の両側に逃げ、方向Ｆ’の作用線の両側では圧力が上がらない。これに対して、本実施形態では線状突起３１，３２が設けられていることにより、線状突起３１，３２と湾曲部１０ｄの間で弾性体１５ｄの密度が上がり、湾曲部１０ｄの押圧力が効果的にまつ毛２４に作用するようになる。
【００７６】
なお、線状突起３１，３２は、必ずしも押圧力の作用線Ｆ’の両側に設ける必要はなく、片側でもよい。また、線状突起３１，３２は、底壁２２ｄのみならず、他の壁体に設けるようにしても良い。図１０は、アイラッシュカーラー１ｄの変形例を示している。
【００７７】
図１０において、アイラッシュカーラー１ｅは、図９のアイラッシュカーラー１ｄと同様の構成を有し、受け部材１４ｅと、内壁２０ｅと、外壁２１ｅと、底壁２２ｅと、ガイド１９ｅと、まつ毛曲げプレート７ｅと、湾曲部１０ｅと、弾性体１５ｅと、凹部１６ｅとを有している。ガイド１９ｅは、内壁２０ｅの上端部に固定され、外方に傾斜している傾斜面２３ｅを有している。ただし、本実施形態では、線状突起３３が外壁２１ｅ上に設けられている。
【００７８】
この実施形態においても、線状突起３３は、まつ毛曲げプレート７ｅの下端部（湾曲部１０ｅ）の押圧力の作用線Ｆ’とずれた位置に設けられている。本実施形態では、線状突起３３はまつ毛２４の先端部に近い位置にあり、弾性体１５ｅが薄いために、圧縮力を受けると密度が高くなり、圧力が上昇する。このため、まつ毛２４に湾曲をつけ易くなる。また、湾曲部分長さや湾曲部中心角が大きくなる。
【００７９】
上記の記載に基づいて、当業者であれば、本発明の追加の効果や種々の変形を想到できるかもしれないが、本発明の態様は、上述した実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【００８０】
１、１ａ、１ｂ、１ｃ、１ｄ、１ｅ：アイラッシュカーラー
２：連結軸
３：支持側ハンドル
４：操作側ハンドル
５、６：フレーム支柱
７、７ａ、７ｂ、７ｃ、７ｄ、７ｅ：まつ毛曲げプレート
８、９：係合部
１０、１０ａ、１０ｂ、１０ｃ、１０ｄ、１０ｅ：湾曲部
１１：回転軸
１２、１３：押圧子
１４、１４ａ、１４ｂ、１４ｃ、１４ｄ、１４ｅ：受け部材
１５、１５ａ、１５ｂ、１５ｃ、１５ｄ、１５ｅ：弾性体
１６、１６ａ、１６ｂ、１６ｃ、１６ｄ、１６ｅ、２９：凹部
１７、１８：スライド部
１９、１９ａ、１９ｂ、１９ｃ、１９ｄ、１９ｅ：ガイド
２０、２０ｂ、２０ｃ、２０ｄ、２０ｅ：内壁
２１、２１ａ、２１ｂ、２１ｃ、２１ｄ、２１ｅ：外壁
２２、２２ａ、２２ｂ、２２ｃ、２２ｄ、２２ｅ：底壁
２３、２３ｃ、２３ｄ、２３ｅ、２７：傾斜面
２４：まつ毛
２５：第一部材
２６：第二部材
２８、２８ｃ、３０ｃ：湾曲コーナー部
３３、３１、３２：線状突起
【図１】
2019180438.tif 000003
【図２】
2019180438.tif 000004
【図３】
2019180438.tif 000005
【図４】
2019180438.tif 000006
【図５】
2019180438.tif 000007
【図６】
2019180438.tif 000008
【図７】
2019180438.tif 000009
【図８】
2019180438.tif 000010
【図９】
2019180438.tif 000011
【図１０】
2019180438.tif 000012
【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
帯状で瞼に沿う湾曲面を有するまつ毛曲げプレートと、
前記まつ毛曲げプレートと整合する湾曲形状を有し、前記まつ毛曲げプレートに対して相対的に移動して前記まつ毛曲げプレートの端部が入り込んで咬合状態になる凹部を有する受け部材と、を有するアイラッシュカーラーであって、
まつ毛を挟んで前記受け部材と咬合するように前記まつ毛曲げプレートの前記端部に設けられた湾曲部と、
前記まつ毛曲げプレートまたは前記受け部材の少なくとも一方に設けられ、前記まつ毛曲げプレートが前記受け部材に対して相対的に移動したときに、前記端部が当接する傾斜面を有し、前記傾斜面は前記まつ毛曲げプレートがさらに移動すると、前記端部を前記まつ毛曲げプレートの湾曲面の凸側に移動させるガイドと、を有することを特徴とするアイラッシュカーラー。
【請求項２】
請求項１に記載のアイラッシュカーラーであって、
前記まつ毛曲げプレートの前記端部に、前記まつ毛曲げプレートの厚み内部に切り込む凹部、または、前記まつ毛曲げプレートの前記端部を前記まつ毛曲げプレートの湾曲面の凹側に傾斜させ、前記湾曲部との間に形成した凹部を設けていることを特徴とするアイラッシュカーラー。
【請求項３】
請求項１または２に記載のアイラッシュカーラーであって、
前記受け部材の凹部は、前記まつ毛曲げプレートと咬合する側は開放し、前記受け部材の湾曲形状の凸側に設けられた外壁と、前記湾曲形状の凹側に設けられた内壁と、前記外壁と内壁とを接続する底壁とを有し、
前記ガイドは、前記受け部材の前記内壁に設けられていることを特徴とするアイラッシュカーラー。
【請求項４】
請求項１または２に記載のアイラッシュカーラーであって、
前記受け部材の凹部は、前記まつ毛曲げプレートと咬合する側は開放し、前記受け部材の湾曲形状の凸側に設けられた外壁と、前記湾曲形状の凹側に設けられた内壁と、前記外壁と内壁とを接続する底壁とを有し、
前記ガイドは、前記受け部材の前記内壁に設けられた第一部材と、前記まつ毛曲げプレートに設けられた第二部材とを有し、
前記第一部材と前記第二部材の少なくとも一方に、前記まつ毛曲げプレートが前記受け部材に対して相対的に移動したときに、前記第一部材または前記第二部材と摺接して、前記まつ毛曲げプレートの前記端部を、前記まつ毛曲げプレートの湾曲面の凸側に移動させる傾斜面を設けたことを特徴とするアイラッシュカーラー。
【請求項５】
請求項１〜４のいずれか一項に記載のアイラッシュカーラーであって、
前記ガイドは、まつ毛を分散整列させるまつ毛ガイドを構成していることを特徴とするアイラッシュカーラー。
【請求項６】
請求項３〜５のいずれか一項に記載のアイラッシュカーラーであって、
前記受け部材は、
前記外壁と前記底壁の接続部に湾曲コーナー部を有していることを特徴とするアイラッシュカーラー。
【請求項７】
請求項３〜６のいずれか一項に記載のアイラッシュカーラーであって、
前記受け部材は、前記凹部内の前記外壁と前記内壁の少なくとも一方に、前記受け部材の長さ方向にほぼ平行で、まつ毛曲げプレートの前記端部の押圧力の作用線とずれた位置に、線状突起を有していることを特徴とするアイラッシュカーラー。
【手続補正書】
【提出日】平成31年1月3日(2019.1.3)
【手続補正１】
【補正対象書類名】特許請求の範囲
【補正対象項目名】全文
【補正方法】変更
【補正の内容】
【特許請求の範囲】
【請求項１】
帯状で瞼に沿う湾曲面を有するまつ毛曲げプレートと、  前記まつ毛曲げプレートと整合する湾曲形状を有し、前記まつ毛曲げプレートに対して相対的に移動して前記まつ毛曲げプレートの端部が入り込んで咬合状態になる凹部を有する受け部材と、を有するアイラッシュカーラーであって、  まつ毛を挟んで前記受け部材と咬合するように前記まつ毛曲げプレートの前記端部に設けられた湾曲部と、 前記受け部材に設けられ、前記まつ毛曲げプレートが前記受け部材に対して相対的に移動してまつ毛を挟んだ状態で、前記まつ毛曲げプレートの前記端部を前記まつ毛曲げプレートの湾曲面の凸側に移動させる傾斜面を有するガイドと、を有することを特徴とするアイラッシュカーラー。
【請求項２】
請求項１に記載のアイラッシュカーラーであって、  前記まつ毛曲げプレートの前記端部に、前記まつ毛曲げプレートの厚み内部に切り込む凹部、または、前記まつ毛曲げプレートの前記端部を前記まつ毛曲げプレートの湾曲面の凹側に傾斜させ、前記湾曲部との間に形成した凹部を設けていることを特徴とするアイラッシュカーラー。
【請求項３】
請求項１または２に記載のアイラッシュカーラーであって、  前記受け部材の凹部は、前記まつ毛曲げプレートと咬合する側は開放し、前記受け部材の湾曲形状の凸側に設けられた外壁と、前記湾曲形状の凹側に設けられた内壁と、前記外壁と内壁とを接続する底壁とを有し、  前記ガイドは、前記受け部材の前記内壁に設けられていることを特徴とするアイラッシュカーラー。
【請求項４】
請求項１または２に記載のアイラッシュカーラーであって、  前記受け部材の凹部は、前記まつ毛曲げプレートと咬合する側は開放し、前記受け部材の湾曲形状の凸側に設けられた外壁と、前記湾曲形状の凹側に設けられた内壁と、前記外壁と内壁とを接続する底壁とを有し、  前記ガイドは、前記受け部材の前記内壁に設けられた第一部材と、前記まつ毛曲げプレートに設けられた第二部材とを有し、  前記第一部材と前記第二部材の少なくとも一方に、前記まつ毛曲げプレートが前記受け部材に対して相対的に移動したときに、前記第一部材または前記第二部材と摺接して、前記まつ毛曲げプレートの前記端部を、前記まつ毛曲げプレートの湾曲面の凸側に移動させる傾斜面を設けたことを特徴とするアイラッシュカーラー。
【請求項５】
請求項１〜４のいずれか一項に記載のアイラッシュカーラーであって、  前記ガイドは、まつ毛を分散整列させるまつ毛ガイドを構成していることを特徴とするアイラッシュカーラー。
【請求項６】
請求項３〜５のいずれか一項に記載のアイラッシュカーラーであって、  前記受け部材は、  前記外壁と前記底壁の接続部に湾曲コーナー部を有していることを特徴とするアイラッシュカーラー。
【請求項７】
請求項３〜６のいずれか一項に記載のアイラッシュカーラーであって、  前記受け部材は、前記凹部内の前記外壁と前記内壁の少なくとも一方に、前記受け部材の長さ方向にほぼ平行で、まつ毛曲げプレートの前記端部の押圧力の作用線とずれた位置に設けられ、まつ毛を湾曲させる押圧力を高める線状突起を有していることを特徴とするアイラッシュカーラー。